(57)【要約】【課題】、簡易な構成でありながら、開封済の状態を容易且つ確実に確認することができる、セキュリティ容器を提供する。【解決手段】本発明は、容器本体４と、容器本体の開口側に設けられた封止部２と、封止部の封止側の面に設けられた貼着部とを備え、封止部は、貼着部の状態を確認する窓部３を有するセキュリティ容器である。貼着部は、基材層と、接着層と、分離層と、粘着層を少なくとも有し、貼着部が容器本体に貼着されると、粘着層により封止部が容器本体に対して封止され、封止部を容器本体から剥がすと、貼着部の粘着層が分離層の少なくとも一部と共に容器本体側に粘着した状態で残り、封止部の窓部には分離層の基材層側への残存状態が表れることを特徴とする。【選択図】図１
2020001711.tif 000002
【特許請求の範囲】
【請求項１】
容器本体と、
前記容器本体の開口側に設けられた封止部と、
前記封止部の封止側の面に設けられた貼着部と、を備え、
前記封止部は、前記貼着部の状態を確認する窓部を有する
セキュリティ容器。
【請求項２】
前記貼着部は、基材層と、接着層と、分離層と、粘着層を少なくとも有し、
前記貼着部が前記容器本体に貼着されると、前記粘着層により前記封止部が前記容器本体に対して封止され、前記封止部を前記容器本体から剥がすと、前記貼着部の前記粘着層が前記分離層の少なくとも一部と共に前記容器本体側に粘着した状態で残り、前記封止部の前記窓部には前記分離層の前記基材層側への残存状態が表れる
請求項１に記載のセキュリティ容器。
【請求項３】
前記分離層には、前記残存状態として、文字、図形、記号、及び模様の少なくともいずれかが表れる
請求項２に記載のセキュリティ容器。
【請求項４】
前記基材層とは、透明又は半透明なフィルム層である
請求項２に記載のセキュリティ容器。
【請求項５】
前記窓部は、前記封止部の長手方向に沿って延びた長穴形状である
請求項１乃至請求項４のいずれか１項に記載のセキュリティ容器。
【発明の詳細な説明】
【技術分野】
【０００１】
本発明は、例えば、封筒、箱等のセキュリティ容器に関する。
【背景技術】
【０００２】
従来、封筒等の容器に収納された製品等の偽造や詰替えを防止するために、セキュリティシールが一般的に用いられている。
【０００３】
このようなセキュリティシールの中には、貼着したシールをはがすと「開封済」等といった文字が浮かび上がる所謂「ボイドシール」と称されるものがあり、多種多様なものが既に市場に出回っている。
【０００４】
例えば、特許文献１では、剥離すると非転写文字が浮き上がる構成を有するポリエステルフィルムと、当該ポリエステルフィルムの外縁部に配設され、有機溶剤系、第三石油系の溶剤に所定色をもって反応し表層剥離を起こす特殊紙と、この特殊紙の表面に特殊インキで印字された所定のマーク部とで構成されたセキュリティシールが開示されている。
【先行技術文献】
【特許文献】
【０００５】
【特許文献１】実用新案登録第３１２３３９６号公報
【発明の概要】
【発明が解決しようとする課題】
【０００６】
しかしながら、セキュリティシールは、入手が容易であることから、同種のシールを貼り変えることで容器内の製品等を詰め替える不正行為が容易に行われてしまう。また、セキュリティシールを注意深く剥がすことができれば、内容物の詰替え等の後に、再利用することで、内容物の詰替え等の不正行為が隠蔽されてしまう。
【０００７】
本発明は、このような課題に鑑みてなされたものであり、その目的とするところは、簡易な構成でありながら、開封済の状態を容易かつ確実に確認することができる、セキュリティ容器を提供することにある。
【課題を解決するための手段】
【０００８】
上記課題を解決するため、本発明の一態様に係るセキュリティ容器は、容器本体と、前記容器本体の開口側に設けられた封止部と、前記封止部の封止側の面に設けられた貼着部と、を備え、前記封止部は、前記貼着部の状態を確認する窓部を有する。
【０００９】
ここで、前記貼着部は、基材層と、接着層と、分離層と、粘着層を少なくとも有し、前記貼着部が前記容器本体に貼着されると、前記粘着層により前記封止部が前記容器本体に対して封止され、前記封止部を前記容器本体から剥がすと、前記貼着部の前記粘着層が前記分離層の少なくとも一部と共に前記容器本体側に粘着した状態で残り、前記封止部の前記窓部には前記分離層の前記基材層側への残存状態が表れる。
【発明の効果】
【００１０】
本発明によれば、簡易な構成でありながら、開封済の状態を容易且つ確実に確認することができる、セキュリティ容器を提供することができる。
【図面の簡単な説明】
【００１１】
【図１】本発明の一実施形態に係るセキュリティ容器の正面図である。
【図２】同セキュリティ容器の背面図である。
【図３】同セキュリティ容器の剥離紙を剥がした様子を示す背面図である。
【図４】同セキュリティ容器の封止部を貼着した様子を示す背面図である。
【図５】同セキュリティ容器の貼着部の断面構造を示す図である。
【図６】同セキュリティ容器を一部開封した様子を示す図である。
【図７】同セキュリティ容器を一部開封した場合の窓部の様子を示す図である。
【図８】同セキュリティ容器の改良例の構成を示す一部背面図である。
【発明を実施するための形態】
【００１２】
以下、図面を参照しつつ本発明の一実施形態について説明する。
【００１３】
本発明の一実施形態に係るセキュリティ容器は、薬剤や機密部品、機密文書等を収容する、封筒や箱等の容器であって、剥がすと文字が表面に浮かび上がる貼着部が設けられた封止部に、当該貼着部の表面を目視で確認可能な窓部を設けた点に特徴を有する。この窓部からは、常に貼着部の状態を確認することができるので、セキュリティ容器が一旦封止された密封状態となった後、不正に開封されると、貼着部の表面に文字、図形、記号及び模様等が浮かび上がるので不正開封を確認できることになる。以下、詳述する。
【００１４】
図１には、本発明の一実施形態に係るセキュリティ容器の正面図を示し、図２には、同セキュリティ容器の背面図を示し、図３には、同セキュリティ容器の剥離紙を剥がした様子を背面図で示し、図４には、同セキュリティ容器の封止部を貼着した様子を背面図で示し、その構成及び作用を詳細に説明する。
【００１５】
これらの図に示されるように、セキュリティ容器１は、上部開口で中に書類や物品を収容できる空間を有する容器本体４を備えている。容器本体４の開口部側の端には、封止部２が連続して形成されており、封止部２には、開口された窓部３が設けられている。この例では、窓部３は開口されている例を示しているが、透明なフィルム等を封止面側に貼りつけてもよいことは勿論である。また、窓部３の形状は、封止部２の長手方向に沿って延びた長穴形状となっているが、これには限定されない。容器本体４の材質については紙のほか、プラスチック、金属等、多種種々のものを採用でき、その形状も封筒型に限定されるものではない。
【００１６】
封止部２の封止側の面には、前記窓部３を覆うような態様で、貼着部７が設けられている。詳細は後述するが、貼着部７は、基材層（例えば、ＰＥＴ（ポリエチレンテレフタレート）やＰＰ（ポリプロピレン）等の樹脂フィルム等）、分離層（例えば、樹脂フィルムなどの脆質素材等）、及び粘着層を含む複数の層が積層されて構成されており、粘着層には、図２に示されるように、封止時に剥がす剥離紙５が貼られている。
【００１７】
図３に示されるように、剥離紙５を剥がすと、封止部２の封止側に設けられた貼着部７の粘着面が露呈する。そして、折返し線６で、封止部２を谷折りして、貼着部７の粘着面を容器本体４に貼りつけると、図４に示されるような状態となり、封止部２が封止されセキュリティ容器は密封状態となる。
【００１８】
ここで、図５には、セキュリティ容器の貼着部の断面構造を示し説明する。
【００１９】
図５に示されるように、封止部２に設けられた貼着部７は、透明又は半透明なフィルム層等からなる基材層７ａと、基材層７ａに分離層７ｃを接着するための接着層７ｂと、樹脂フィルムなどの脆質素材等からなり分離により文字、図形、記号及び模様等を形成する分離層７ｃと、粘着性材料で構成された粘着層７ｄとで構成されている。そして、粘着層７ｄの粘着面には、未使用時には剥離紙５は積層され、保護されている。尚、図５の例では、接着層７ｂの分離部７ｃに対する接着力は、粘着層７ｄの分離部７ｃに対する接着力に比べて弱くなっている。
【００２０】
貼着部７が容器本体４に貼着されると、粘着層７ｄにより封止部２が容器本体４に対して封止され、その密封状態から、封止部２を容器本体４から剥がすと、貼着部７の粘着層７ｄが分離層７ｃの少なくとも一部と共に容器本体４側に粘着した状態で残り、封止部２の窓部３には分離層７ｃの基材層７ａ側への残存状態が表れる。この残存した分離層７ｃは所定の文字、図形、記号及び模様等を浮かび上がらせる。従って、窓部３より貼着部７の状態を確認することで、不正に開封されたか否かを容易且つ確実に確認することができる。
【００２１】
図６には、セキュリティ容器を一部開封した様子を示し、図７には、同セキュリティ容器を一部開封した場合の窓部の様子を示し、説明する。
【００２２】
図６に示されるように、封止部２の貼着部７を容器本体４に貼りつけて封止部２を封止した密閉状態から、封止部２を開封すると、貼着部７の粘着層７ｄが分離層７ｃの少なくとも一部と共に容器本体４側に粘着した状態で残る。これは、基材層７ａ側に接着層７ｂを介して残存する分離層７ｃの少なくとも一部が欠落することを意味する。そして、この分離により、貼着部７の基材部７ａ側には所定の文字等が浮かび上がる。
【００２３】
つまり、封止部２が封止され密閉状態となった後に、一度でも不正に開封されると、たとえ慎重に綺麗に開封しようとしても、図７に示されるように、封止部２の窓部３には分離層７ｃの基材層７ａ側への残存状態、つまり文字、図形、記号、模様等が表れる。より詳細には、開封された部分は、分離層７ｃの少なくとも一部が粘着層７ｄと共に容器本体２側に残るので、その部分が基材７ａ側から欠落した状態が文字等となって表れることになる。よって、窓部３を目視するだけで、不正に開封されたことを、容易且つ確実に確認することができるのである。
【００２４】
尚、貼着部７の構成は、図５に示される構成に限定されるものではなく、一般に剥がすと文字、図形、記号及び模様等が表面（基材の表面）に浮き出るような構成のものであれば、種々のものを採用できる。
【００２５】
例えば、貼着部７を、分離層に代えて、位相差により粘着層側に残る部位が所定のパターンを形成するようなセキュリティ層を備えた構成としてもよい。そのような構成の貼着部７を採用した場合であっても、封止部２の窓部３があれば、貼着部７の表面、つまり封止部２への固着側の状態を確認すれば、その不正な開封を容易に検出できる。
【００２６】
以上説明した本発明の実施形態によれば、以下の効果が奏される。
【００２７】
本実施形態によれば、容器本体４と、容器本体の開口側に設けられた封止部２と、封止部の封止側の面に設けられた貼着部７と、を備え、封止部２は、貼着部７の状態を確認する窓部３を有するセキュリティ容器１が提供される。
【００２８】
従って、簡易な構成でありながら不正な開封を容易且つ確実に確認することが可能となる。このような特徴から、セキュリティ容器は、機密文書や製品等を配布する際に用いる封筒や収容する容器等に好適であるといえる。
【００２９】
そして、貼着部７は、基材層７ａと、接着層７ｂと、分離層７ｃと、粘着層７ｄを少なくとも有し、貼着部が容器本体に貼着されると、粘着層により封止部が容器本体に対して封止され、封止部を容器本体から剥がすと、貼着部の粘着層が分離層の少なくとも一部と共に容器本体側に粘着した状態で残り、封止部の窓部には分離層の基材層側への残存状態が文字等となって表れる。従って、窓部３に露呈される基材側への分離層への残存状態（図７参照）を確認するだけ、不正開封の有無を確実に確認することが可能となる。
【００３０】
以上、本発明の一実施形態について説明したが、本発明はこれに限定されることなくその趣旨を逸脱しない範囲で種々の改良・変更が可能であることは勿論である。
【００３１】
例えば、封止部に設けられる窓部の配置、数、及び形状は、前述したものに限定されることなく、種々の配置、数、及び形状とすることができる。即ち、図８は、改良例のひとつを示したものであるが、セキュリティ容器１０の本体部１３から連続した封止部１１には、長穴形状の３つの窓部１２ａ〜１２ｃが設けられており、貼着部１４の最下層のフィルム層の状態を確認できるようになっていてもよい。
【符号の説明】
【００３２】
１…セキュリティ容器
２…封止部
３…窓部
４…容器本体
５…剥離紙
６…折返し線
７…貼着部
７ａ…フィルム層
７ｂ…接着層
７ｃ…分離層
７ｄ…粘着層
１０…セキュリティ容器
１１…封止部
１２ａ〜１２ｃ…窓部
１３…容器本体
１４…貼着部
【図１】
2020001711.tif 000003
【図２】
2020001711.tif 000004
【図３】
2020001711.tif 000005
【図４】
2020001711.tif 000006
【図５】
2020001711.tif 000007
【図６】
2020001711.tif 000008
【図７】
2020001711.tif 000009
【図８】
2020001711.tif 000010